(57)【要約】【課題】ＰＢＰ表示をＯＳＤ操作なしに切り替えることができる映像表示装置および映像表示装置の制御方法を提供する。【解決手段】複数の入力映像信号がそれぞれ入力される複数の入力端子と、前記複数の入力映像信号に基づく複数の映像を表示画面に表示する表示部と、前記複数の入力映像信号の特性を検出する第１映像処理部と、前記複数の入力映像信号の特性に基づいて、前記表示画面における映像信号の表示条件を決定する制御部と、前記表示条件に基づいて、前記複数の映像を前記表示画面に表示する第２映像処理部と、を有する。【選択図】図１
2015099237.tif 000002
【特許請求の範囲】
【請求項１】
複数の入力映像信号がそれぞれ入力される複数の入力端子と、
前記複数の入力映像信号に基づく複数の映像を表示画面に表示する表示部と、
前記複数の入力映像信号の特性を検出する第１映像処理部と、
前記複数の入力映像信号の特性に基づいて、前記表示画面における映像信号の表示条件を決定する制御部と、
前記表示条件に基づいて、前記複数の映像を前記表示画面に表示する第２映像処理部と、を有する
ことを特徴とする映像表示装置。
【請求項２】
映像信号の特性の組み合わせと、組み合わせに対応させたユーザ設定情報と、を記憶する保存メモリを有し、
前記制御部は、前記第１映像処理部により検出された入力映像信号の特性の組み合わせが保存メモリに記憶されている映像信号の特性の組み合わせであると判定した場合に、当該映像信号の特性の組み合わせに対応したユーザ設定情報を前記表示条件とする、
ことを特徴とする請求項１に記載の映像表示装置。
【請求項３】
前記制御部は操作信号を送信する操作スイッチを備え、
前記制御部は、操作信号に基づくユーザ設定情報を保存メモリに記憶させる、
ことを特徴とする請求項２に記載の映像表示装置。
【請求項４】
前記表示条件は、画像の拡大、縮小、表示位置の指定、画像の合成の条件である、
ことを特徴とする請求項１から請求項３いずれか一項に記載の映像表示装置。
【請求項５】
前記入力映像信号の特性および前記映像信号の特性は、それぞれ、少なくとも解像度、極性、周波数情報を含む、
ことを特徴とする請求項１から請求項４いずれか一項に記載の映像表示装置。
【請求項６】
複数の入力映像信号がそれぞれ入力される複数の入力端子と、前記複数の入力映像信号に基づく複数の映像を表示画面に表示する表示部と、を有する映像表示装置の制御方法であって、
前記複数の入力映像信号の特性を検出する第１映像処理工程と、
前記複数の入力映像信号の特性に基づいて、前記表示画面における映像信号の表示条件を決定する制御工程と、
前記表示条件に基づいて、前記複数の映像を前記表示画面に表示する第２映像処理工程と、を有する
ことを特徴とする映像表示装置の制御方法。
【発明の詳細な説明】
【技術分野】
【０００１】
本発明は、映像表示装置および映像表示装置の制御方法に関する。
【背景技術】
【０００２】
１つの表示画面に複数の異なる映像信号を重ねずに表示する機能(以下、本明細書においてＰＢＰ（Ｐｉｃｕｔｒｅ Ｂｙ Ｐｉｃｔｕｒｅ）表示機能と称する)を有する映像表示装置が知られている（例えば、特許文献１参照）。このようなＰＢＰ表示機能を有する映像表示装置では、外部映像信号入力端子の映像を一画面で表示している状態で、新たに別の外部映像信号入力端子に機器を接続してＰＢＰ表示することが行われる。
【先行技術文献】
【特許文献】
【０００３】
【特許文献１】特開２００５−２０７４３号公報
【発明の概要】
【発明が解決しようとする課題】
【０００４】
しかしながら、１つの外部映像信号入力端子の映像を一画面で表示している状態で、新たに別の外部映像信号入力端子に機器を接続してＰＢＰ表示する状態にする場合、従来はＰＢＰ表示機能を手動で有効にしなければならなかった。例えば、通常状態としてデスクトップＰＣを映像装置に接続して一画面表示で使用している状態で、頻繁にノート ＰＣやスマートフォンを接続してＰＢＰ表示の状態に切り替えて使う場合が考えられる。こうした場合、外部映像信号入力端子にノート ＰＣやスマートフォンを接続した後、ユーザは毎回ＯＳＤ（Ｏｎ Ｓｃｒｅｅｎ Ｄｉｓｐｌａｙ）を操作してＰＢＰ設定を有効にしなればならず（例えば、特許文献１の段落「００４０」参照）、設定が煩雑であり、また操作に手間を要していた。
【０００５】
本発明は上記の点に鑑みてなされたものであり、主たる目的は、ＰＢＰ表示をＯＳＤ操作なしに切り替えることができる映像表示装置および映像表示装置の制御方法を提供することにある。
【課題を解決するための手段】
【０００６】
上記の課題を解決するために、本発明の映像表示装置は、複数の入力映像信号がそれぞれ入力される複数の入力端子と、前記複数の入力映像信号に基づく複数の映像を表示画面に表示する表示部と、前記複数の入力映像信号の特性を検出する第１映像処理部と、前記複数の入力映像信号の特性に基づいて、前記表示画面における映像信号の表示条件を決定する制御部と、前記表示条件に基づいて、前記複数の映像を前記表示画面に表示する第２映像処理部と、を有することを特徴とする。
【０００７】
また、本発明の映像表示装置の制御方法は、複数の入力映像信号がそれぞれ入力される複数の入力端子と、前記複数の入力映像信号に基づく複数の映像を表示画面に表示する表示部と、を有する映像表示装置の制御方法であって、前記複数の入力映像信号の特性を検出する第１映像処理工程と、前記複数の入力映像信号の特性に基づいて、前記表示画面における映像信号の表示条件を決定する制御工程と、前記表示条件に基づいて、前記複数の映像を前記表示画面に表示する第２映像処理工程と、を有することを特徴とする。
【発明の効果】
【０００８】
本発明によれば、制御回路は、映像信号の特性と、複数の入力端子のうちいずれの入力端子に映像信号が入力されたか否かを表す信号と、に基づいて、表示画面に表示される映像信号の表示画面における表示条件を決定する。映像処理回路は、制御回路が決定する表示条件に基づいて、映像信号を表示画面に表示する。これにより、ＰＢＰ表示をＯＳＤ操作なしに切り替えることができる映像表示装置および映像表示装置の制御方法を提供することができる。
【図面の簡単な説明】
【０００９】
【図１】本実施形態の映像表示装置１００の概略構成図である。
【図２】一画面表示から二画面表示へＰＢＰ表示を切り替える処理を説明するためのフロー図である。
【図３】二画面表示から一画面表示へＰＢＰ表示を切り替える処理を説明するためのフロー図である。
【図４】自動ＰＢＰ機能の有効または無効を設定する処理を説明するためのフロー図である。
【図５】従来のＰＢＰ表示を行う場合の手順を説明するための図である。
【図６】本実施形態の映像表示装置によってＰＢＰ表示を行うことによる効果を説明するための図である。
【図７】図１に示す映像表示装置１００の主要な構成を示す図である。
【発明を実施するための形態】
【００１０】
以下、図面を参照しながら本発明の実施形態について詳しく説明する。図１は、本実施形態の映像表示装置１００の概略構成図である。
映像表示装置１００は、映像処理回路１０１、液晶パネル１０２、制御回路（ＣＰＵ；Ｃｅｎｔｒａｌ Ｐｒｏｃｅｓｓｉｎｇ Ｕｎｉｔ）１０３、保存メモリ１０４、第１外部映像信号入力端子１０５、第２外部映像信号入力端子１０６、外部無線映像受信機１０７および操作スイッチ１０８を備えている。
【００１１】
第１外部映像信号入力端子１０５は、ＰＣなどの外部機器に接続され、外部機器からの第１映像信号１１１が入力される。映像処理回路１０１には、第１映像信号１１１が、映像信号１として入力される。また、第１外部映像信号入力端子１０５は、制御回路１０３に接続され、制御回路１０３には、第１接続端子信号１１４が入力される。この第１接続端子信号１１４は、第１外部映像信号入力端子１０５が外部機器と接続されているか否かを表す信号である。
【００１２】
第２外部映像信号入力端子１０６は、第１外部映像信号入力端子１０５に接続される外部機器とは異なる外部機器（例えば、ノート ＰＣ）に接続され、外部機器からの第２映像信号１１２が入力される。映像処理回路１０１には、第２映像信号１１２が、映像信号２として入力される。また、第２外部映像信号入力端子１０６は、制御回路１０３に接続され、制御回路１０３には、第２接続端子信号１１５が入力される。この第２接続端子信号１１５は、第２外部映像信号入力端子１０６が外部機器と接続されているか否かを表す信号である。なお、第１接続端子信号１１４、第２接続端子信号１１５は、外部機器から映像信号が入力されているか否かを示す信号でもあってもよい。
【００１３】
外部無線映像受信機１０７は、映像信号送信機などの第１外部映像信号入力端子１０５および第２外部映像信号入力端子１０６に接続される外部機器とは異なる外部機器に接続され、外部機器からの無線映像信号１１３が入力される。映像処理回路１０１には、無線映像信号１１３が、映像信号３として入力される。また、外部無線映像受信機１０７は、制御回路１０３に接続され、制御回路１０３には、第３接続端子信号１１６が入力される。この第３接続端子信号１１６は、外部無線映像受信機１０７が外部機器と接続されているか否かを表す信号である。つまり、第３接続端子信号１１６は、映像信号３が映像処理回路１０１に入力されているか否かを示す信号でもある。
【００１４】
映像処理回路１０１は、制御回路１０３から入力される映像処理回路制御信号１１８に基づいて映像信号１〜３の映像信号を解析し、映像信号１〜３の解像度、極性、周波数情報（入力映像信号の特性）を検出する機能を有している。映像処理回路１０１は、検出結果を映像処理回路制御信号１１８として制御回路１０３に対して送信する。
また、映像処理回路１０１は、映像信号１〜３を液晶パネル１０２に表示するため、制御回路１０３から入力される映像処理回路制御信号１１８に基づいて、映像信号１〜３に対して、画像の拡大、縮小、表示位置の指定、画像の合成などといった処理を行い、液晶パネル１０２における表示に最適な信号に変換処理を行う。映像処理回路１０１は、変換後の信号を液晶パネル１０２に対して液晶パネル映像信号１１７として出力する。
液晶パネルは、液晶パネル映像信号１１７に基づいて、映像信号１〜３のうちの１つの画像、あるいは複数の画像を表示画面に表示する。
【００１５】
制御回路１０３は、映像処理回路１０１に入力される映像信号１〜３の解像度、極性、周波数情報の取得を、映像処理回路１０１から入力される映像処理回路制御信号１１８により行う機能を有する。また、制御回路１０３は、映像処理回路制御信号１１８が、映像信号の拡大処理、縮小処理、表示位置の指定、表示画像の合成、映像信号の液晶パネル１０２への最適な信号への変換処理などを行うため、映像処理回路制御信号１１８を映像処理回路１０１に対して出力する機能を有する。
また、制御回路１０３は、各種の調節値や映像信号の解像度、極性、周波数情報（映像信号の特性）を保存情報信号１１９として保存メモリ１０４に対して書き込み、あるいは保存情報信号１１９を保存メモリ１０４から読み出す機能を有する。
保存メモリ１０４は、制御回路１０３からの保存情報信号１１９を記憶し、また、記憶した保存情報信号１１９が制御回路１０３により読み出される。
操作スイッチ１０８は、制御回路１０３に接続され、ユーザからの指示（ＰＢＰ機能の有効／無効、あるいはＯＳＤ表示）を操作信号１２０として制御回路１０３へ送信する。
【００１６】
続いて、映像表示装置１００においてＰＢＰ表示を切り替える動作について説明する。図２は、一画面表示から二画面表示へＰＢＰ表示を切り替える処理を説明するためのフロー図である。なお、以下の説明では、三つの映像入力、二画面のＰＢＰ表示の例を説明する。ただし、三つ以上の映像入力、二画面以上のＰＢＰ表示、もしくはＰＩＰ(ピクチャーインピクチャー)表示でも同様な手順を適用することで、本機能を適用する事ができる。
図２は、第１外部映像信号入力端子１０５に第１映像信号１１１が入力され液晶パネル１０２が一画面で表示されている状態で、新たに第２外部映像信号入力端子１０６に外部機器が接続され、第２映像信号１１２が入力される事で、画面表示を自動的に映像信号１と映像信号２とのＰＢＰ表示に切り替える手順を示している。
【００１７】
第２外部映像信号入力端子１０６に外部機器が接続され、第２映像信号１１２が入力される（ステップＳＴ１）。
映像処理回路１０１は、第２映像信号１１２の解像度、周波数、極性を計測し、解像度、周波数、極性の検出結果を、映像処理回路制御信号１１８として、制御回路１０３に送信する。同時に第２外部映像信号入力端子１０６からは、第２接続端子信号１１５として、制御回路１０３に端子接続情報（外部機器と接続されたか否かを表す信号）が入力される。
【００１８】
制御回路１０３は、自動ＰＢＰ機能（後述）が有効に設定されているか否かを判断する（ステップＳＴ２）。制御回路１０３は、有効と判断した場合（ステップＳＴ２−Ｙｅｓ）、映像処理回路１０１から引き渡された、第１映像信号１１１および第２映像信号１１２の解像度、周波数、極性情報および、第１接続端子信号１１４、第２接続端子信号１１５を分析する（ステップＳＴ３）。一方、制御回路１０３は、無効と判断した場合（ステップＳＴ２−Ｎｏ）、通常のＰＢＰ手順を行う（ステップＳＴ４）。通常のＰＢＰ手順とは、制御回路１０３が、映像処理回路制御信号１１８を映像処理回路１０１に送信し、映像処理回路１０１が、第１映像信号１１１により液晶パネル１０２を一画面表示する処理を行うことである。
【００１９】
ステップＳＴ３に続いて、制御回路１０３は、映像処理回路１０１から引き渡された、第１映像信号１１１および第２映像信号１１２の解像度、周波数、極性情報および第１接続端子信号１１４、第２接続端子信号１１５の組合せ（入力映像信号の特性の組合せ）が過去にあったか否かを判断する（ステップＳＴ５）。制御回路１０３は、この判断を、保存メモリ１０４との間で、保存情報信号１１９を入出力することにより行う。
【００２０】
制御回路１０３は、過去に映像信号の組合せがないと判定した場合は（ステップＳＴ５−Ｎｏ）、映像処理回路制御信号１１８を映像処理回路１０１に送信する。映像処理回路１０１は、映像処理回路制御信号１１８に基づいて映像信号１および映像信号２を液晶パネル映像信号１１７に変換する。映像処理回路１０１は、液晶パネル映像信号１１７を液晶パネル１０２に送信し、液晶パネル１０２の表示画面を、例えば左側を第１映像信号１１１、右側を第２映像信号１１２によりＰＢＰ表示する（ステップＳＴ６）。
映像処理回路１０１は、同時にＰＢＰ表示の設定画面をオンスクリーン画面（Ｏｎ Ｓｃｒｅｅｎ Ｄｉｓｐｌａｙ；以降ＯＳＤと記す）に表示する（ステップＳＴ７）。
【００２１】
ユーザは、操作スイッチ１０８を介して操作信号１２０を制御回路１０３に対して送信し、ＯＳＤでＰＢＰ表示となった時の第１映像信号１１１、第２映像信号１１２の左右への振り分け、分離位置、アスペクト設定などのＰＢＰ表示の条件を入力する（ステップＳＴ８）。制御回路１０３は、ユーザの入力したＰＢＰ表示の条件に従って、映像処理回路制御信号１１８を映像処理回路１０１に送信する。映像処理回路１０１は、液晶パネル１０２の表示画面を、ユーザが入力した条件に従って、第１映像信号１１１および第２映像信号１１２でＰＢＰ表示する。このユーザによる操作は繰り返され、最終的にＰＢＰ表示の条件がユーザ設定情報として決定される。
【００２２】
制御回路１０３は、第１映像信号１１１の特性、第２映像信号１１２の特性、第１接続端子信号１１４、第２接続端子信号１１５の組合せに関する情報（映像信号の特性の組合せ）を、保存情報信号１１９として保存メモリ１０４に記憶させる（ステップＳＴ９）。また、制御回路１０３は、映像信号の特性の組合せに対応させたユーザ設定情報を、保存情報信号１１９として保存メモリ１０４に記憶させる（ステップＳＴ１０）。制御回路１０３は、同時に映像処理回路１０１に対して映像処理回路制御信号１１８（映像信号の表示条件）を送信する。映像処理回路１０１は、ユーザ設定情報に従って、液晶パネル１０２の表示画面を第１映像信号１１１および第２映像信号１１２でＰＢＰ表示する（ステップＳＴ１１）。
【００２３】
一方、ステップＳＴ５において、制御回路１０３は、過去に映像信号の組合せがあると判定した場合は（ステップＳＴ５−Ｙｅｓ）、ＰＢＰ設定省略機能（ＰＢＰ表示に関するユーザ設定情報の新たな生成を省略する機能；詳細後述）が有効か否かを判断する（ステップＳＴ１２）。
制御回路１０３は、ＰＢＰ設定省略機能が無効であると判断した場合（ステップＳＴ１２＿Ｎｏ）、ステップＳＴ６に進み、過去に入力映像信号の組合せが無い場合の処理に戻る。一方、制御回路１０３は、ＰＢＰ設定省略機能が有効であると判断した場合（ステップＳＴ１２＿Ｙｅｓ）、過去に記憶したユーザ設定情報を、保存メモリ１０４から読み出し、その設定内容（映像信号の表示条件）を映像処理回路制御信号１１８により映像処理回路１０１に対して送信し、映像処理回路１０１にＰＢＰ表示させる。
【００２４】
次に、図３は、二画面表示から一画面表示へＰＢＰ表示を切り替える処理を説明するためのフロー図である。
図３は、第１映像信号１１１および第２映像信号１１２が入力され、ＰＢＰ表示されている状態から、第２外部映像信号入力端子１０６から外部機器がはずされ第２映像信号１１２の入力がなくなる事で、自動的に第１映像信号１１１による一画面表示に切り替える手順を示している。
【００２５】
第２外部映像信号入力端子１０６から外部機器がはずされると、映像信号２の映像処理回路１０１への入力がなくなる（ステップＳＴ２１）。
映像処理回路１０１は、映像信号２がなくなったことを、映像処理回路制御信号１１８により制御回路１０３に伝達する。同時に、第２外部映像信号入力端子１０６から第２接続端子信号１１５により、制御回路１０３に端子の接続がなくなったことが入力される。
【００２６】
制御回路１０３は、第２外部映像信号入力端子１０６に外部機器の端子が接続されているかを計測し、端子が接続されているか否かを判断する（ステップＳＴ２２）。制御回路１０３は、端子が接続されていないと判断した場合は（ステップＳＴ２２−Ｎｏ）、保存メモリ１０４を参照し、さらに自動ＰＢＰ機能（詳細後述）が有効に設定されているか否かを判断する（ステップＳＴ２３）。
制御回路１０３は、自動ＰＢＰ機能が有効に設定されていると判断した場合（ステップＳＴ２３−Ｙｅｓ）、有効に設定されていることを、映像処理回路制御信号１１８により映像処理回路１０１に送信する。映像処理回路１０１は、自動的に第１映像信号１１１で液晶パネル１０２の画面表示を一画面（全画面）表示に切り替える（ステップＳＴ２４）。
一方、制御回路１０３は、第２外部映像信号入力端子１０６に外部機器の端子が接続されていないと判断した場合（ステップＳＴ２２−Ｙｅｓ）、あるいは、自動ＰＢＰ機能の設定が無効であると判断した場合（ステップＳＴ２３−Ｎｏ）、ＰＢＰ表示を維持することを、映像処理回路制御信号１１８により映像処理回路１０１に送信する。映像処理回路１０１は、ＰＢＰ表示を維持したまま、映像信号２の液晶パネル１０２における画面表示を消す（ステップＳＴ２５）。
【００２７】
次に、図４は、自動ＰＢＰ機能の有効または無効を設定する処理を説明するためのフロー図である。図４は、自動ＰＢＰ機能に関係する機能である、自動ＰＢＰ機能の有効／無効の設定、ＰＢＰ設定省略機能の有効／無効の設定をする手順を示している。
ユーザは自動ＰＢＰ表示設定を行うため、操作スイッチ１０８により操作信号１２０を制御回路１０３に送信する（ステップＳＴ３１）。制御回路１０３は、自動ＰＢＰ機能を設定するＯＳＤ画面メニューを表示することを、映像処理回路制御信号１１８により映像処理回路１０１に送信する。
映像処理回路１０１は、自動ＰＢＰ機能を設定するＯＳＤ画面メニューを液晶パネル１０２の表示画面に表示する（ステップＳＴ３２）。
ユーザは操作スイッチ１０８により、自動ＰＢＰ機能の有効または無効の設定（ステップＳＴ３３）、ＰＢＰ設定省略機能の有効または無効の設定を行う（ステップＳＴ３４）。
ユーザが完了操作を行うことにより、制御回路１０３は設定項目の有効または無効に関する情報を、保存メモリ１０４に記憶する（ステップＳＴ３５）。
このようにして、保存メモリ１０４に設定された情報は、自動ＰＢＰ機能が動作する際、制御回路１０３により参照される。
【００２８】
本実施形態での映像表示装置１００が奏する効果について、以下に説明する。図５は、従来のＰＢＰ表示を行う場合の手順を説明するための図である。また、図６は、本実施形態の映像表示装置によってＰＢＰ表示を行うことによる効果を説明するための図である。
まず、例として、デスクトップＰＣ（外部機器）が映像表示装置に常時接続されており、ノート ＰＣが接続または非接続される状況について説明する。ここでは、ノート ＰＣは、ユーザが映像表示装置の前を離れる場合に非接続となり、自席に戻った時には接続されるといった状況を想定している。
図５に示すように、ユーザが席に戻った際にノート ＰＣを映像表示装置に接続して、デスクトップＰＣからの映像信号とノート ＰＣからの映像信号とをＰＢＰ表示したい場合、（１）まず、外部映像信号入力端子にノート ＰＣを接続する。しかし、この時点ではＰＢＰ表示にはならない。（２）続いて、ユーザがＯＳＤの操作を行いＰＢＰ表示の設定を行うことで、ＰＢＰ表示が可能となる。つまり、従来技術では、（１）と（２）の２ステップの操作が必要となる。逆に、ノート ＰＣの接続を外して、デスクトップＰＣの１画面表示に戻す場合も、（１）ケーブルを外す、（２）ＰＢＰ表示設定を変更するという２ステップが必要となる。このように、ノート ＰＣの接続、非接続（切り離し）のたびに、ＯＳＤ操作によるＰＢＰ表示設定を行わなければならない。
【００２９】
これに対して、本実施形態での映像表示装置１００では、図６（ａ）、及び図６（ｂ）で示す効果を奏することができる。まず、図６（ａ）を用いて、本発明によってＰＢＰ表示を行う場合の効果を説明する。
図６（ａ）は、初めてノート ＰＣを接続する場合について示している。ノート ＰＣを接続すると、映像表示装置１００は自動的にデスクトップＰＣの一画面表示から、デスクトップＰＣとノート ＰＣのＰＢＰ表示を行う。初めて接続する場合はここで、上述の様に、ＰＢＰ表示の方法を設定するので、ＰＢＰ表示が完了するまでには２ステップが必要である。しかし、ノート ＰＣの切り離し時は、上述の様に、自動的にデスクトップＰＣの一画面表示に切り替わる。図６（ｂ）は、２回目以降にノート ＰＣを接続する場合を示している。映像表示装置１００は、過去に表示した信号、映像入力端子の組合せを自動的に感知して、ユーザが設定したＰＢＰ表示に自動的に切り替える。すなわち、１ステップでＰＢＰ表示が可能となり、ユーザの使いかってを向上する事ができる。
【００３０】
次に、図７は、図１に示す映像表示装置１００の主要な構成を示す図である。
図７に示すように、映像表示装置１００は、複数の入力映像信号がそれぞれ入力される第１外部映像信号入力端子１０５、第２外部映像信号入力端子１０６（複数の入力端子）と、液晶パネル１０２（複数の入力映像信号に基づく複数の映像を表示画面に表示する表示部）と、を備える。また、映像表示装置１００は、第１映像処理部１０１ａと、制御回路１０３（制御部）と、第２映像処理部１０１ｂと、を有する。第１映像処理部１０１ａは、複数の入力映像信号の特性を検出する。制御回路１０３は、複数の入力映像信号の特性に基づいて、表示画面における映像信号の表示条件を決定する。第２映像処理部１０１ｂは、表示条件に基づいて、複数の映像を液晶パネル１０２に表示する。
また、映像表示装置１００は、映像信号の特性の組み合わせと、組み合わせに対応させたユーザ設定情報と、を記憶する保存メモリ１０４を有する。制御回路１０３は、第１映像処理部１０１ａにより検出された入力映像信号の特性の組み合わせが保存メモリ１０４に記憶されている映像信号の特性の組み合わせであると判定した場合に、当該映像信号の特性の組み合わせに対応したユーザ設定情報を表示条件とする。
ここで、表示条件とは、画像の拡大、縮小、表示位置の指定、画像の合成の条件であるまた、入力映像信号の特性および映像信号の特性は、それぞれ、少なくとも解像度、極性、周波数情報を含む。
なお、制御回路１０３は操作信号を送信する操作スイッチ（図７において不図示、図１に示す操作スイッチ１０８）を備え、制御回路１０３は、当該操作信号に基づくユーザ設定情報を保存メモリ１０４に記憶させる構成としてよい。
【００３１】
これにより、本実施形態の映像表示装置１００によれば、ＰＢＰ表示をＯＳＤ操作なしに切り替えることができる映像表示装置および映像表示装置の制御方法を提供することができる。
すなわち、近年、映像表示装置は、ワイド化、高解像度化により、ＰＢＰ表示することによる利便性が高まる機会が増えてきている。一方で映像表示装置に接続される機器がデスクトップＰＣのように固定設置して使う機器だけでなく、ノート ＰＣやスマートフォン、タブレットのように、携帯されて使われる機器が増えてきている。デスクトップＰＣと携帯機器をＰＢＰ表示して使うという機会が増えてくるこのような状況の中で、本実施形態の映像表示装置１００によれば、より簡単にＰＢＰ表示が行える機能の実現が可能となる。また、無線映像伝送の場合においては利便性のさらなる向上が望まれるが、本実施形態の映像表示装置１００によれば、煩雑なＯＳＤ操作無しにＰＢＰ表示を行うことが可能となる。
【００３２】
また、今後、例えば会議でのパブリックディスプレイ（以降ＰＤと記す）を使用機会の増加、加えて４Ｋ２Ｋ等高解像度化が進む事により、会議でＰＤに複数のノート ＰＣを接続してＰＢＰ表示して情報参照しながら使うケースが想定される。通常、ＰＤとノート ＰＣの接続は離れた場所で行われるので、本実施形態の映像表示装置１００によれば、ＰＢＰ表示切り替えをＯＳＤ操作なしに行うことができるので、利便性向上に大きく寄与することができる。また、無線映像転送化との組合せにより、さらなる会議使用での利便性向上を行うことが可能となる。
【００３３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００３４】
例えば、上記実施形態の説明では、ケーブルによる接続での実施例を説明した。しかしながら、本願発明は、映像入力がワイアレスの場合でも同様な機能を適用することができる。つまり、外部映像信号入力端子をワイアレス映像受信装置に置き換えて考えることができる。
例えば、図１において無線映像信号１１３は、外部無線映像受信機１０７のアンテナにより受信し、外部無線映像受信機１０７によって、映像信号に変換され、映像信号３として映像処理回路１０１に入力される。また外部無線映像受信機１０７から無線映像表示装置の接続情報を第３接続端子信号１１６によって、制御回路１０３に入力する。なお、無線映像信号入力による自動ＰＢＰ表示手順は、ケーブルによる接続の場合と同様である。
【００３５】
また、映像処理回路１０１と制御回路１０３の設定を変更する事で、ＰＢＰのみならずＰＩＰ（ピクチャー・イン・ピクチャー）でも同様な機能を実現することができる。さらに、映像処理回路１０１と制御回路１０３の設定を変更する事で、２画面のＰＢＰのみならず２画面以上のＰＢＰでも同様な機能を実現する事ができる。
【００３６】
また、図１における映像表示装置１００の機能を実現するためのプログラムをコンピュータ読み取り可能な記録媒体に記録して、この記録媒体に記録されたプログラムをコンピュータシステムに読み込ませ、実行することにより、映像表示装置１００のＰＢＰ表示の制御を行ってもよい。なお、ここでいう「コンピュータシステム」とは、ＯＳや周辺機器等のハードウェアを含むものとする。
【００３７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【００３８】
１００…映像表示装置、１０１…映像処理回路、１０２…液晶パネル、１０３…制御回路、１０４…保存メモリ、１０５…第１外部映像信号入力端子、１０６…第２外部映像信号入力端子、１０７…外部無線映像受信機、１０８…操作スイッチ、１１１…第１映像信号、１１２…第２映像信号、１１３…無線映像信号、１１４…第１接続端子信号、１１５…第２接続端子信号、１１６…第３接続端子信号、１１７…液晶パネル映像信号、１１８…映像処理制御信号、１１９…保存情報信号
【図１】
2015099237.tif 000003
【図２】
2015099237.tif 000004
【図３】
2015099237.tif 000005
【図４】
2015099237.tif 000006
【図５】
2015099237.tif 000007
【図６】
2015099237.tif 000008
【図７】
2015099237.tif 000009